(57)【特許請求の範囲】
【請求項１】
複数の読影レポートを保管する保管手段と、
前記複数の読影レポートにおいて、記述内容を単語単位に切り分け、かつ当該切り分けた単語のうち、所定種類に該当する単語を抽出する抽出手段と、
単一の読影レポートから抽出された単語について、前記所定種類における異なる種類の単語同士の組み合わせである第１の組み合わせを生成する組み合わせ生成手段と、
前記組み合わせ生成手段で生成された各第１の組み合わせを記憶する索引記憶手段と、
前記所定種類の単語を入力する入力操作に応じて、入力された前記所定種類の単語を一方に含む前記第１の組み合わせを、前記索引記憶手段から検索する検索手段と、
前記検索手段により検索された前記第１の組み合わせに含まれる前記所定種類の単語の他方のリストを生成するとともに、この単語のリストから何れかを選択する入力操作に応じて、入力された前記一方の単語と選択された前記他方の単語を含む読影レポートのリストを生成するリスト生成手段と、
前記読影レポートのリストから何れかを選択する入力操作に応じて、選択された読影レポートを前記保管手段から出力する出力手段と、
を備えること、
を特徴とするレポート検索装置。
【請求項２】
前記索引記憶手段は、
前記第１の組み合わせとその第１の組み合わせを含む読影レポートを識別する情報とを関連付けて記憶し、
前記検索手段は、
複数の単語を入力する入力操作に応じて、入力された何れかの単語を含み、かつ同一の前記読影レポートを識別する情報が関連付けられた前記第１の組み合わせを、前記索引記憶手段から検索すること、
を特徴とする請求項１記載のレポート検索装置。
【請求項３】
前記検索手段により検索された前記第１の組み合わせから、同一の前記他方の単語を含む前記第１の組み合わせの数をカウントする計数手段をさらに備え、
前記リスト生成手段は、
前記他方の単語に、その他方の単語を含む前記第１の組み合わせの数を関連付けたリストを生成すること、
を特徴とする請求項１又は２に記載のレポート検索装置。
【請求項４】
前記抽出手段は、
読影レポートの所見欄の単語と確診病名欄の単語を含む辞書データを記憶する辞書記憶手段を含み、
前記辞書データに含まれる前記所見欄の単語と前記確診病名欄の単語に基づいて前記読影レポートから各単語を抽出し、
前記組み合わせ生成手段は、
前記所見欄の単語からなる第１の組み合わせと前記確診病名欄の単語との組み合わせである第２の組み合わせを生成すること、
を特徴とする請求項１又は２に記載のレポート検索装置。
【請求項５】
前記抽出手段は、
読影レポートの所見欄の単語を含む辞書データを記憶する辞書記憶手段を含み、
前記辞書データに含まれる前記所見欄の単語を抽出し、
前記組み合わせ生成手段は、
前記第１の組み合わせとして、前記所見欄の単語同士の組み合わせを生成すること、
を特徴とする請求項１又は２に記載のレポート検索装置。
【請求項６】
前記辞書記憶手段は、
所見欄の単語として、部位を表す単語、前記部位に生ずる事象を表す単語、及び前記事象の有無を表す単語を含む前記辞書データを記憶し、
前記抽出手段は、
一文に含まれる各種類の単語を前記第１の組み合わせとして抽出し、
前記組み合わせ生成手段は、その第１の組み合わせと前記確診病名欄の単語を組み合わせて前記第２の組み合わせを生成すること、
を特徴とする請求項４に記載のレポート検索装置。
【請求項７】
前記辞書記憶手段は、
所見欄の単語として、部位を表す単語、前記部位に生ずる事象を表す単語、及び前記事象の有無を表す単語を含む前記辞書データを記憶し、
前記抽出手段は、
一文に含まれる各種類の単語を前記第１の組み合わせとして抽出し、
前記組み合わせ生成手段は、
一文に含まれる各種類の単語による前記第１の組み合わせと他の一文に含まれる各種類の単語による前記第１の組み合わせとの組み合わせである第３の組み合わせを生成すること、
を特徴とする請求項５に記載のレポート検索装置。
【請求項８】
前記検索手段は、
前記所見欄の単語を入力する入力操作に応じて、入力された前記所見欄の単語を含む前記第１の組み合わせ前記第２の組み合わせのうち少なくともいずれか一方を、前記索引記憶手段から検索すること、
を特徴とする請求項４又は５に記載のレポート検索装置。
【請求項９】
前記検索手段は、
前記確診病名欄の単語を入力する入力操作に応じて、入力された前記確診病名欄の単語を含む前記第２の組み合わせを、前記索引記憶手段から検索すること、
を特徴とする請求項４に記載のレポート検索装置。
【請求項１０】
前記検索手段は、
単語の組み合わせを入力する入力操作に応じて、当該入力された組み合わせを含む前記第１の組み合わせ、前記第２の組み合わせおよび前記第３の組み合わせのうち少なくともいずれか一つを、前記索引記憶手段から検索すること、
を特徴とする請求項６又は７に記載のレポート検索装置。
【請求項１１】
前記検索手段は、
一文を入力する入力操作に応じて、入力された一文を単語に分解し、分解された単語の組み合わせを含む前記第１の組み合わせ、前記第２の組み合わせおよび前記第３の組み合わせのうち少なくともいずれか一つを、前記索引記憶手段から検索すること、
を特徴とする請求項６又は７に記載のレポート検索装置。
【請求項１２】
前記辞書記憶手段は、
辞書における各単語の代表として設定された代表単語を記憶し、かつその代表単語と同一の意味を有する同義単語をその代表単語に関連付けて記憶し、
前記抽出手段は、
前記単語の抽出において、前記代表単語と一致する単語だけでなく、前記同義単語も抽出可能であること、
を特徴とする請求項４又は５に記載のレポート検索装置。
【請求項１３】
前記検索手段により検索された前記第２の組み合わせから、同一の前記確診病名欄の単語を含む前記第２の組み合わせの数をカウントする計数手段をさらに備え、
前記リスト生成手段は、
前記確診病名欄の単語に、その確診病名欄の単語を含む前記第２の組み合わせの数を関連付けたリストを生成すること、
を特徴とする請求項４に記載のレポート検索装置。
【請求項１４】
複数の読影レポートを保管する保管手段と操作手段と表示手段に接続されたレポート検索装置のレポート検索方法であって、
前記保管手段に保管された前記複数の読影レポートにおいて、記述内容を単語単位に切り分け、かつ当該切り分けた単語のうち、所定種類に該当する単語を抽出し、
単一の読影レポートから抽出された単語について、前記所定種類における異なる種類の単語同士の組み合わせた第１の組み合わせを記憶しておき、
前記操作手段を用いた前記所定種類の単語を入力する入力操作に応じて、入力された前記所定種類の単語を一方に含む前記第１の組み合わせを検索して、検索された前記第１の組み合わせに含まれる前記所定種類の単語の他方のリストを生成し、
前記操作手段を用いた前記単語のリストから何れかを選択する入力操作に応じて、入力された前記一方の単語と選択された前記他方の単語を含む読影レポートのリストを生成し、
前記操作手段を用いた前記読影レポートのリストから何れかを選択する入力操作に応じて、選択された読影レポートを前記保管手段から前記表示手段へ出力すること、
を特徴とするレポート検索方法。
【請求項１５】
前記第１の組み合わせとその第１の組み合わせを含む読影レポートを識別する情報とを関連付けて記憶しておき、
前記検索では、
前記操作手段を用いた複数の単語を入力する入力操作に応じて、入力された何れかの単語を含み、かつ同一の前記読影レポートを識別する情報が関連付けられた前記第１の組み合わせを検索すること、
を特徴とする請求項１４記載のレポート検索方法。
【請求項１６】
前記検索された前記第１の組み合わせから、同一の前記他方の単語を含む前記第１の組み合わせの数をカウントし、
前記他方の単語に、その他方の単語を含む前記第１の組み合わせの数を関連付けた前記単語のリストを生成すること、
を特徴とする請求項１４又は１５に記載のレポート検索方法。
【請求項１７】
読影レポートの所見欄の単語と確診病名欄の単語を含む辞書データを記憶しておき、
前記所見欄の単語と前記確診病名欄の単語に基づいて前記読影レポートから各単語を抽出して、これら単語を第２の組み合わせとして記憶しておくこと、
を特徴とする請求項１４又は１５に記載のレポート検索方法。
【請求項１８】
読影レポートの所見欄の単語を含む辞書データを記憶しておき、
前記第１の組み合わせを構成するために、前記所見欄の単語を抽出すること、
を特徴とする請求項１４又は１５に記載のレポート検索方法。
【請求項１９】
読影レポートの所見欄に含まれる部位を表す単語、前記部位に生ずる事象を表す単語、及び前記事象の有無を表す単語を含む辞書データを記憶しておき、
前記所見欄の一文毎に、異なる種類の単語同士の組み合わせた第１の組み合わせを記憶しておき、
前記操作手段を用いた単語の組み合わせを入力する入力操作に応じて、前記検索された前記第１の組み合わせに含まれる他方の単語のリストを生成すること、
を特徴とする請求項１４又は１５に記載のレポート検索方法。
【請求項２０】
前記検索では、一文を入力する入力操作に応じて、入力された一文を単語に分解し、分解された単語の組み合わせを含む前記第１の組み合わせを検索すること、
を特徴とする請求項１９に記載のレポート検索方法。
【請求項２１】
前記辞書データには、各単語の代表として設定された代表単語と、かつその代表単語に関連付けられ、その代表単語と同一の意味を有する同義単語とが含まれ、
前記単語の抽出においては、前記代表単語と一致する単語だけでなく、前記同義単語も抽出可能であること、
を特徴とする請求項１７又は１８に記載のレポート検索方法。
【請求項２２】
前記検索された前記第２の組み合わせから、同一の前記確診病名欄の単語を含む前記第２の組み合わせの数をカウントし、
前記確診病名欄の単語に、その確診病名欄の単語を含む前記第２の組み合わせの数を関連付けたリストを生成すること、
を特徴とする請求項１７に記載のレポート検索方法。
【発明の詳細な説明】
【技術分野】
【０００１】
この発明は、過去に作成されたレポートを検索する技術に関する。
【背景技術】
【０００２】
医療行為は、専門分野が細分化されているため、画像診断装置で撮影した医用画像の読影を専門医に依頼することが広く行われる。専門医たる読影医は、依頼された読影対象の医用画像を液晶ディスプレイやＣＲＴディスプレイ等のモニタに表示させ、読影結果を読影レポートにまとめる。読影医は、読影対象と比較の対象となる医用画像を表示させたり、症例や確診病名の類似する過去の読影レポートを表示させることで、参考資料とする。
【０００３】
過去に作成された読影レポートは、ハードディスク等を備えた保管装置に保管されている。参考資料とする読影レポートを保管装置から読み出すには、例えば、検索装置によって、入力された検索語によるキーワード検索を行う（例えば、「特許文献１」参照。）。
【０００４】
従来の検索装置では、類似症例や類似の確診病名を含む読影レポートを検索する場合には、全文検索を行っていた。そして、この検索装置では、入力された単語をテキストデータとして含む読影レポートを全てリストとして提示していた。
【０００５】
この読影レポート内のテキストデータを参照する全文検索では、検索時間が多大になってしまい、読影効率を低下させるおそれがある。また、多大な時間を要して全文検索を終了しても、リストに挙がった読影レポートの参照価値は様々であり、どの読影レポートが有用であるか区別がつきにくい。従って、検索が終了しても、リストに挙がった読影レポートを一つ一つ表示していき、その内容を確かめる必要があるため、検索終了後においても、所望の参考資料を見つけだすために多大な時間を浪費してしまい、さらに読影効率の低下をもたらすおそれがある。しかも、膨大な数のリストから適切な参考資料を見つけることは困難であるため、真に参考とすべき読影レポートを確認できない場合がある。
【０００６】
【特許文献１】特開２００７−２９３５２１号公報
【発明の開示】
【発明が解決しようとする課題】
【０００７】
この発明は、上述のような問題点に鑑みてなされたものであり、その目的とするところは、参考となる過去の読影レポートを迅速且つ高精度に検索することのできる技術を提供するものである。
【課題を解決するための手段】
【０００８】
上記課題を解決するために、請求項１に記載の本発明に係るレポート検索装置は、複数の読影レポートを保管する保管手段と、前記複数の読影レポートにおいて、記述内容を単語単位に切り分け、かつ当該切り分けた単語のうち（センテンス毎に）、所定種類に該当する単語を抽出する抽出手段と、単一の読影レポートから抽出された単語について、前記所定種類における異なる種類の単語同士の組み合わせである第１の組み合わせを生成する組み合わせ生成手段と、前記組み合わせ生成手段で生成された各第１の組み合わせを記憶する索引記憶手段と、前記所定種類の単語を入力する入力操作に応じて、入力された前記所定種類の単語を一方に含む前記第１の組み合わせを、前記索引記憶手段から検索する検索手段と、前記検索手段により検索された前記第１の組み合わせに含まれる前記所定種類の単語の他方のリストを生成するとともに、この単語のリストから何れかを選択する入力操作に応じて、入力された前記一方の単語と選択された前記他方の単語を含む読影レポートのリストを生成するリスト生成手段と、前記読影レポートのリストから何れかを選択する入力操作に応じて、選択された読影レポートを前記保管手段から出力する出力手段と、を備えること、を特徴とする。
【０００９】
前記索引記憶手段は、前記第１の組み合わせとその第１の組み合わせを含む読影レポートを識別する情報とを関連付けて記憶し、前記検索手段は、複数の単語を入力する入力操作に応じて、入力された何れかの単語を含み、かつ同一の前記読影レポートを識別する情報が関連付けられた前記第１の組み合わせを、前記索引記憶手段から検索するようにしてもよい（請求項２記載の発明に相当）。
【００１０】
前記検索手段により検索された前記第１の組み合わせから、同一の前記他方の単語を含む前記第１の組み合わせの数をカウントする計数手段をさらに備え、前記リスト生成手段は、前記他方の単語に、その他方の単語を含む前記第１の組み合わせの数を関連付けたリストを生成するようにしてもよい（請求項３記載の発明に相当）。
【００１１】
前記抽出手段は、読影レポートの所見欄の単語と確診病名欄の単語を含む辞書データを記憶する辞書記憶手段を含み、前記辞書データに含まれる前記所見欄の単語と前記確診病名欄の単語に基づいて前記読影レポートから各単語を抽出し、前記組み合わせ生成手段は、前記所見欄の単語からなる第１の組み合わせと前記確診病名欄の単語との組み合わせである第２の組み合わせを生成するようにしてもよい（請求項４記載の発明に相当）。
【００１２】
前記抽出手段は、読影レポートの所見欄の単語を含む辞書データを記憶する辞書記憶手段を含み、前記辞書データに含まれる前記所見欄の単語を抽出し、前記組み合わせ生成手段は、前記第１の組み合わせとして、前記所見欄の単語同士の組み合わせを生成するようにしてもよい（請求項５記載の発明に相当）。
【００１３】
前記辞書記憶手段は、所見欄の単語として、部位を表す単語、前記部位に生ずる事象を表す単語、及び前記事象の有無を表す単語を含む前記辞書データを記憶し、前記抽出手段は、一文に含まれる各種類の単語を前記第１の組み合わせとして抽出し、前記組み合わせ生成手段は、その第１の組み合わせと前記確診病名欄の単語を組み合わせて前記第２の組み合わせを生成するようにしてもよい（請求項６記載の発明に相当）。
【００１４】
前記辞書記憶手段は、所見欄の単語として、部位を表す単語、前記部位に生ずる事象を表す単語、及び前記事象の有無を表す単語を含む前記辞書データを記憶し、前記抽出手段は、一文に含まれる各種類の単語を前記第１の組み合わせとして抽出し、前記組み合わせ生成手段は、一文に含まれる各種類の単語による前記第１の組み合わせと他の一文に含まれる各種類の単語による前記第１の組み合わせとの組み合わせである第３の組み合わせを生成するようにしてもよい（請求項７記載の発明に相当）。
【００１５】
前記検索手段は、前記所見欄の単語を入力する入力操作に応じて、入力された前記所見欄の単語を含む前記第１の組み合わせ前記第２の組み合わせのうち少なくともいずれか一方を、前記索引記憶手段から検索するようにしてもよい（請求項８記載の発明に相当）。
【００１６】
前記検索手段は、前記確診病名欄の単語を入力する入力操作に応じて、入力された前記確診病名欄の単語を含む前記第２の組み合わせを、前記索引記憶手段から検索するようにしてもよい（請求項９記載の発明に相当）。
【００１７】
前記検索手段は、単語の組み合わせを入力する入力操作に応じて、当該入力された組み合わせを含む前記第１の組み合わせ、前記第２の組み合わせおよび前記第３の組み合わせのうち少なくともいずれか一つを、前記索引記憶手段から検索するようにしてもよい（請求項１０記載の発明に相当）。
【００１８】
前記検索手段は、一文を入力する入力操作に応じて、入力された一文を単語に分解し、分解された単語の組み合わせを含む前記第１の組み合わせ、前記第２の組み合わせおよび前記第３の組み合わせのうち少なくともいずれか一つを、前記索引記憶手段から検索するようにしてもよい（請求項１１記載の発明に相当）。
また、前記辞書記憶手段は、辞書における各単語の代表として設定された代表単語を記憶し、かつその代表単語と同一の意味を有する同義単語をその代表単語に関連付けて記憶し、前記抽出手段は、前記単語の抽出において、前記代表単語と一致する単語だけでなく、前記同義単語も抽出可能としてもよい（請求項１２記載の発明に相当）。
また、前記検索手段により検索された前記第２の組み合わせから、同一の確診病名欄の単語を含む前記第２の組み合わせの数をカウントする計数手段をさらに備え、前記リスト生成手段は、前記確診病名欄の単語に、その確診病名欄の単語を含む前記第２の組み合わせの数を関連付けたリストを生成する（請求項１３記載の発明に相当）
【００１９】
上記課題を解決するために、請求項１４に記載の本発明に係るレポート検索方法は、複数の読影レポートを保管する保管手段と操作手段と表示手段に接続されたレポート検索装置のレポート検索方法であって、前記保管手段に保管された前記複数の読影レポートにおいて、記述内容を単語単位に切り分け、かつ当該切り分けた単語のうち（センテンス毎に）、所定種類に該当する単語を抽出し、単一の読影レポートから抽出された単語について、前記所定種類における異なる種類の単語同士の組み合わせた第１の組み合わせを記憶しておき、前記操作手段を用いた前記所定種類の単語を入力する入力操作に応じて、入力された前記所定種類の単語を一方に含む前記第１の組み合わせを検索して、検索された前記第１の組み合わせに含まれる前記所定種類の単語の他方のリストを生成し、前記操作手段を用いた前記単語のリストから何れかを選択する入力操作に応じて、入力された前記一方の単語と選択された前記他方の単語を含む読影レポートのリストを生成し、前記操作手段を用いた前記読影レポートのリストから何れかを選択する入力操作に応じて、選択された読影レポートを前記保管手段から前記表示手段へ出力すること、を特徴とする。
【００２０】
前記第１の組み合わせとその第１の組み合わせを含む読影レポートを識別する情報とを関連付けて記憶しておき、前記検索では、前記操作手段を用いた複数の単語を入力する入力操作に応じて、入力された何れかの単語を含み、かつ同一の前記読影レポートを識別する情報が関連付けられた前記第１の組み合わせを検索するようにしてもよい（請求項１５記載の発明に相当）。
【００２１】
前記検索された前記第１の組み合わせから、同一の前記他方の単語を含む前記第１の組み合わせの数をカウントし、前記他方の単語に、その他方の単語を含む前記第１の組み合わせの数を関連付けた前記単語のリストを生成するようにしてもよい（請求項１６記載の発明に相当）。
【００２２】
読影レポートの所見欄の単語と確診病名欄の単語を含む辞書データを記憶しておき、前記所見欄の単語と前記確診病名欄の単語に基づいて前記読影レポートから各単語を抽出して、これら単語を第２の組み合わせとして記憶しておくようにしてもよい（請求項１７記載の発明に相当）。
【００２３】
読影レポートの所見欄の単語を含む辞書データを記憶しておき、前記第１の組み合わせを構成するために、前記所見欄の単語を抽出するようにしてもよい（請求項１８記載の発明に相当）。
【００２４】
読影レポートの所見欄に含まれる部位を表す単語、前記部位に生ずる事象を表す単語、及び前記事象の有無を表す単語を含む辞書データを記憶しておき、前記所見欄の一文毎に、異なる種類の単語同士の組み合わせた第１の組み合わせを記憶しておき、前記操作手段を用いた単語の組み合わせを入力する入力操作に応じて、前記検索された前記第１の組み合わせに含まれる他方の単語のリストを生成するようにしてもよい（請求項１９記載の発明に相当）。
【００２５】
前記検索では、一文を入力する入力操作に応じて、入力された一文を単語に分解し、分解された単語の組み合わせを含む前記第１の組み合わせを検索するようにしてもよい（請求項２０記載の発明に相当）。
また、前記辞書データには、各単語の代表として設定された代表単語と、かつその代表単語に関連付けられ、その代表単語と同一の意味を有する同義単語とが含まれ、前記単語の抽出においては、前記代表単語と一致する単語だけでなく、前記同義単語も抽出可能としてもよい（請求項２１記載の発明に相当）。
また、前記検索された前記第２の組み合わせから、同一の前記確診病名欄の単語を含む前記第２の組み合わせの数をカウントし、前記確診病名欄の単語に、その確診病名欄の単語を含む前記第２の組み合わせの数を関連付けたリストを生成するようにしてもよい（請求項２２記載の発明に相当）。
【発明の効果】
【００２６】
本発明によれば、操作者は、自らが入力した単語と関連性の深い単語のリストを表示することができ、その単語から所望する読影レポートを更に絞り込むことができる。従って、読影レポートの中身を確認して、所望する読影レポートを探索する手間が軽減されると共に、検索の精度が向上する。また、自らが入力した単語と関連性の深い単語が提示されることによって、読影の判断についての他の可能性も抜けなく容易に検討することが可能となる。さらに、所見内容に対する典型的な確診病名や確診病名に対する典型的な所見内容の関連が確認できるため、教育現場においても利用が可能となる。
【発明を実施するための最良の形態】
【００２７】
以下、本発明に係るレポート検索装置及びこのレポート検索装置のレポート検索方法の好適な実施形態について、図面を参照しながら具体的に説明する。
【００２８】
図１は、本実施形態に係るレポート検索装置１を含むネットワークを示す図である。
【００２９】
レポート検索装置１は、読影端末２とネットワークＮを介して接続されている。ネットワークＮは、電子データの伝送が可能な電子通信回線である。例えば電話回線網、ＩＳＤＮ、ＦＤＤＩ、専用線、移動体通信網、通信衛星回線、ＣＡＴＶ、ＬＡＮ等、又はこれらの複合が採用される。レポート検索装置１と読影端末２は、ネットワーク通信技術を利用して、相互にデータ通信が可能となっている。ネットワーク通信技術には、例えばＷＷＷ（ワールド・ワイド・ウェブ）、ＴＣＰ／ＩＰプロトコル、又はＤＩＣＯＭ（Digital Imaging and COmmunications in Medicine）プロトコル等が採用される。
【００３０】
読影端末２は、読影対象となる医用画像を表示するモニタ２１と、読影レポートの入力画面や過去の読影レポートを表示するモニタ２２と、キーボードやマウス等の操作部２３を有する。レポート検索装置１は、過去に作成された複数の読影レポートを保管するハードディスク等の保管部１０と、保管部１０に保管されている読影レポートの索引を記憶するハードディスク等の索引記憶部１６を有する。
【００３１】
読影端末２は、レポート検索装置１に対して、過去の読影レポートを検索するための単語、単語列、又はセンテンスを検索キーとしてレポート検索装置１へ送信する。また、読影端末２は、読影レポートを要求するコマンドをレポート検索装置１へ送信する。レポート検索装置１では、読影端末２から受信した検索キーを用いて索引記憶部１６を検索し、検索結果のリストを送信する。また、レポート検索装置１では、要求コマンドに対応する読影レポートを保管部１０から読み出して、読影端末２に送信する。
【００３２】
これらレポート検索装置１及び読影端末２は、所謂コンピュータで構成されている。ハードディスクに記憶された制御プログラムをＲＡＭに適宜展開し、展開された制御プログラムをＣＰＵで解読して、制御プログラムに従って演算又は各構成要素の制御を行うことで機能する。
【００３３】
図２は、このレポート検索装置１及び読影端末２の内部構成を示すブロック図である。
【００３４】
読影端末２は、作成レポート記憶部２４と検索インターフェース部２５と過去レポート表示制御部２６をさらに有する。レポート検索装置１は、入出力部１１とレポート送受信制御部１２と抽出部１３と辞書記憶部１４と組み合わせ生成部１５と検索部１７と計数部１９とリスト生成部１８をさらに有する。
【００３５】
読影端末２の作成レポート記憶部２４は、主にＲＡＭやハードディスクで構成されている。この作成レポート記憶部２４は、読影端末２で作成している読影レポートを記憶している。
【００３６】
図３は、作成レポート記憶部２４に記憶されている読影レポートの模式図である。読影レポートは、ドキュメントやＨＴＭＬ等の文書データである。操作部２３が備えるキーボードに配列されるキーが押下されること、押下されたキーに対応するテキストデータが読影レポートに記述される。
【００３７】
この読影レポートは、主に所見欄Ｃｓと確診病名欄Ｃｋのフィールドを有する。所見欄Ｃｓには、モニタ２１に表示されている医用画像を読影した結果の判断や意見等を示す所見がテキストデータとして記述される。確診病名欄Ｃｋには、モニタ２１に表示されている医用画像を読影して得た確診病名がテキストデータとして記述される。
【００３８】
読影レポートの文書データには、所見欄Ｃｓを示すタグと確診病名欄Ｃｋを示すタグが含まれる。所見欄Ｃｓを示すタグ以下に所見として入力されたテキストデータが記述される。確診病名欄Ｃｋを示すタグ以下に確診病名として入力されたテキストデータ記述される。
【００３９】
一般的には、所見欄Ｃｓに入力されるテキストデータの一文は、「左肺野に胸水が見られる。」等のように、所見の対象となる部位を表す部位単語ｗｂと、その部位に生ずる事象を表す事象単語ｗｊと、その事象の有無を表す有無単語ｗｕと、それらを繋ぐ助詞とで構成される。また、確診病名欄Ｃｋに入力されるテキストデータは、例えば「肺炎」等の確診病名単語ｗｄである。操作者が、このような部位単語ｗｂと事象単語ｗｊと有無単語ｗｕで構成される一文を操作部２３を用いて所見欄Ｃｓに入力すると、読影端末２は、作成レポート記憶部２４に記憶されている読影レポートの所見欄Ｃｓにその一文を示すテキストデータが記述する。所見欄Ｃｓには、複数の文が入力される場合がある。
【００４０】
検索インターフェース部２５は、主にＣＰＵとネットワークインターフェースとにより構成される。ネットワークインターフェースは、ネットワークアダプタ、のケーブルを接続するためのコネクタと、Ｅｔｈｅｒｎｅｔ（登録商標）等のＬＡＮ規格に準拠したネットワークに接続するために必要となる回路を備えたＬＡＮカード、ＬＡＮボード、ＬＡＮアダプタ等の機器である。
【００４１】
この検索インターフェース部２５は、操作部２３を用いて入力された検索キーや操作部２３を用いて選択された読影レポートを要求するコマンドをネットワークＮを介してレポート検索装置１に送信する。
【００４２】
この検索インターフェース部２５は、モニタ２２に検索画面を表示させ、検索画面がアクティブの状態で生じた入力イベントを受け取り、入力された検索語を検索キーとしてレポート検索装置１に送信する。
【００４３】
また、この検索インターフェース部２５は、モニタ２２に検索画面を表示させ、検索画面内に表示された読影レポートのリストの何れかを選択するマウスイベントを受け取り、選択された読影レポートを識別する情報とともに読影レポートを要求するコマンドをレポート検索装置１に送信する。読影レポートを識別する情報は、例えば読影レポートに固有に付されたレポートＩＤである。
【００４４】
図４は、この検索インターフェース部２５がモニタ２２に表示させる検索画面を示す模式図である。検索画面は、検索インターフェース部２５の内部ＲＯＭにＧＵＩフォーマットデータとして記憶されている。検索インターフェース部２５は、この検索画面のＧＵＩフォーマットデータから表示画像を生成し、検索画面としてモニタ２２に表示させる。
【００４５】
検索画面は、検索語を入力する検索フィールドＳｆと、検索結果のリストを表示する検索結果リストフィールドＳＬｆと、検索結果リストフィールドＳＬｆ内に生成されるレポートリストフィールドＲＬｆを有する。
【００４６】
検索フィールドＳｆは、部位単語ｗｂを入力する部位入力エリアＥｂと、事象単語ｗｊを入力する事象入力エリアＥｊと、有無単語ｗｕを選択する有無選択プルダウンメニュＭｕと、確診病名単語ｗｄを入力する病名入力エリアＥｄで構成されている。部位入力エリアＥｂには、操作部２３を用いて部位単語ｗｂが入力される。事象入力エリアＥｊには、操作部２３を用いて事象単語ｗｊが入力される。有無選択プルダウンメニュＭｕには、「有り」又は「無し」を示す文字列が表示され、操作部２３が有するマウスを用いて何れかが選択される。病名入力エリアＥｄには、操作部２３を用いて確診病名単語ｗｄが入力される。
【００４７】
検索インターフェース部２５は、検索フィールドＳｆに部位単語ｗｂと事象単語ｗｊが入力され、また検索フィールドＳｆから事象の有無が選択されると、入力された部位単語ｗｂと事象単語ｗｊと選択された有無の何れかを示す有無単語ｗｕを一つの記述単位の単語セットとした検索キーとし、検索コマンドをレポート検索装置１に送信する。この記述単位が入力されると、記述単位のＡＮＤ検索をする検索コマンドをレポート検索装置１に送信する。
【００４８】
また、検索インターフェース部２５は、レポート検索装置１から検索結果を示すリストを受信すると、検索結果リストを検索結果リストフィールドＳＬｆに表示させる。検索結果リストフィールドＳＬｆには、後述するように、レポート検索装置１で検索語と組み合わせられた例えば確診病名単語ｗｄが並べられている。この確診病名単語ｗｄは、所見欄Ｃｓに検索語を含む過去の読影レポートの確診病名欄Ｃｋに記述されていた単語である。操作者は、自ら入力した部位単語ｗｂと事象単語ｗｊと有無単語ｗｕとリスト内の確診病名単語ｗｄを参照して、より所望する過去の読影レポートを絞り込むことができる。
【００４９】
検索インターフェース部２５は、この検索結果のリストに並ぶ確診病名単語ｗｄの一つを選択するマウスイベントを操作部２３から受け取ると、入力された部位単語ｗｂと事象単語ｗｊと有無単語ｗｕと選択した確診病名単語ｗｄとを含む読影レポートのリストを要求するコマンドをレポート検索装置１に送信する。
【００５０】
検索インターフェース部２５は、レポート検索装置１から読影レポートのリストを受信すると、そのレポートリストをレポートリストフィールドＲＬｆに表示させる。このレポートリストに並ぶ読影レポートを識別する情報の一つを選択するマウスイベントを操作部２３から受け取ると、選択された読影レポートを識別する情報を含む読影レポートの要求コマンドをレポート検索装置１に送信する。
【００５１】
過去レポート表示制御部２６は、主にＣＰＵとネットワークインターフェースから構成されている。この過去レポート表示制御部２６は、レポート検索装置１から読影レポートを受信すると、受信した読影レポートの表示画像を生成してモニタ２２に表示させる。
【００５２】
レポート検索装置１の入出力部１１は、主にネットワークインターフェースから構成される。この入出力部１１は、レポート検索装置１から作成された読影レポートや検索キーや読影レポートを識別する情報や要求コマンドをネットワークＮを介して受信し、読影端末２へ検索結果リストやレポートリストや読影レポートをネットワークＮを介して送信する。
【００５３】
レポート送受信制御部１２は、主にＣＰＵとネットワークインターフェースとハードディスクやＲＡＭから構成されている。このレポート送受信制御部１２は、読影端末２から送信されてきた読影レポートを保管部１０に保管させ、保管部１０に保管されている読影レポートを読影端末２へ送信させる。
【００５４】
入出力部１１が読影レポートを受信すると、レポート送受信制御部１２は、受信した読影レポートをレポートデータベース１２ａに登録して保管部１０に保管させる。レポートデータベース１２ａは、ハードディスクに記憶されており、このレポートデータベース１２ａに新たに送信されてきた読影レポートを識別する情報と読影レポートに含まれる検査日付と患者名等とそのレポートの保管先を示すパスを書き込む。
【００５５】
また、入出力部１１が読影レポートを識別する情報を含めた要求コマンドを読影端末２から受信すると、レポート送受信制御部１２は、レポートデータベース１２ａを参照して、送信されてきた読影レポートを識別する情報と対になっているパスを読み出し、このパスが示す保管先に保管されている読影レポートを入出力部１１に送信させる。
【００５６】
抽出部１３は、主にＣＰＵから構成されている。辞書記憶部１４は、主にハードディスクやＲＡＭから構成されている。組み合わせ生成部１５は、主にＣＰＵから構成されている。これら抽出部１３と辞書記憶部１４と組み合わせ生成部１５は、保管部１０に保管されている読影レポートを検索するための索引を作成し、索引記憶部１６に記憶させる。
【００５７】
図５は、索引記憶部１６に記憶される索引を示すデータ構成図である。
【００５８】
索引は、保管部１０に記憶されている各読影レポートに含まれる単語の組み合わせデータＫｄと、その組み合わせの単語を含む読影レポートのレポートＩＤとを関連付けたデータである。
【００５９】
索引記憶部１６には、同一の読影レポートの所見欄Ｃｓに記述された各記述単位の単語セット（以下、記述単位データｗｓという）と確診病名欄Ｃｋの確診病名を示す確診病名単語ｗｄの組み合わせデータが記憶されている。記述単位データｗｓは、読影レポートの所見欄Ｃｓの単語のうち、各センテンスに含まれている部位単語ｗｂと事象単語ｗｊと有無単語ｗｕをセンテンス毎に纏めて１セットとしたデータである。
【００６０】
例えば、読影レポートＡの所見欄ＣｓにセンテンスＡ，Ｂ，Ｃ，及びＤが記述され、確診病名欄ＣｋにＸという確診病名単語ｗｄとＹという確診病名単語ｗｄが記述されている場合、この読影レポートＡからは、センテンスＡを構成する部位単語ｗｂと事象単語ｗｊと有無単語ｗｕを１セットとしたＡという記述単位データｗｓ、同様にＢという記述単位データｗｓ、同様にＣという記述単位データｗｓ、及び同様にＤという記述単位データｗｓの何れかと、Ｘという確診病名単語ｗｄ及びＹという確診病名単語ｗｄの何れかとを対にして組み合わせた組み合わせデータＫｄが計８種類生成されて索引記憶部１６に記憶される。
【００６１】
この記述単位データｗｓと確診病名単語ｗｄとを組み合わせた組み合わせデータＫｄが保管部１０に記憶されているそれぞれの読影レポートにおいて生成されて、重複を問わず索引記憶部１６に記憶される。重複を問わずとは、同一の部位単語ｗｂと事象単語ｗｊと有無単語ｗｕを含む１文と同一の確診病名単語ｗｄとを含む読影レポートが複数保管されていれば、索引記憶部１６には、同一の単語を組み合わせた同一の組み合わせデータＫｄが複数存在するという意味である。
【００６２】
例えば、Ａという読影レポートの所見欄Ｃｓに「左肺野」と「胸水」と「有り」が１センテンスで記述され、かつ確診病名欄Ｃｋに「肺炎」と記述されており、また、Ｂという読影レポートの所見欄Ｃｓに「左肺野」と「胸水」と「有り」が１センテンスで記述され、かつ確診病名欄Ｃｋに「肺炎」と記述されている場合、「左肺野」と「胸水」と「有り」を単語セットとした記述単位データｗｓと「肺炎」という確診病名単語ｗｄの組み合わせデータＫｄは、索引記憶部１６に少なくとも２つ存在し、両者の違いは、Ａという読影レポートのレポートＩＤが関連付けられているか、Ｂという読影レポートのレポートＩＤが関連付けられているかである。
【００６３】
抽出部１３は、この索引の作成処理において、読影レポートを単語単位に切り分けて、センテンス毎に部位単語ｗｂと事象単語ｗｊと有無単語ｗｕを１セットとした記述単位データｗｓに再構成する構造化処理を行う。即ち、抽出部１３は、読影レポートの所見欄Ｃｓの各センテンスから単語を抽出し、確診病名欄Ｃｋから確診病名単語ｗｄを抽出している。そして、１センテンスから抽出された単語を１セットとした記述単位データｗｓをセンテンス毎に作成する。辞書記憶部１４は、各種単語を記録した辞書データを記憶している。抽出部１３は、この辞書データに記録された単語を読影レポートの各センテンスから検索している。
【００６４】
組み合わせ生成部１５は、単一の読影レポートから作成された記述単位データｗｓと確診病名単語ｗｄとの組み合わせを生成し、この組み合わせにレポートＩＤを関連付けて索引記憶部１６に記憶させている。
【００６５】
図６は、この抽出部１３と辞書記憶部１４と組み合わせ生成部１５が索引を作成する処理の一例を示すフローチャートである。
【００６６】
まず、抽出部１３は、保管部１０から一報の読影レポートを読み出す（Ｓ０１）。
【００６７】
抽出部１３は、入出力部１１が読影端末２から読影レポートを受信し、レポート送受信制御部１２が受信した読影レポートをレポートデータベース１２ａに登録して保管部１０に保管すると、その保管された読影レポートを索引を作成するために読み出す。
【００６８】
抽出部１３は、辞書データを参照して、読み出した読影レポートの所見欄Ｃｓから１センテンス毎に部位単語ｗｂと事象単語ｗｊと有無単語ｗｕを抽出し（Ｓ０２）、１センテンス毎に、抽出された単語群を１セットとした記述単位データｗｓを生成する（Ｓ０３）。
【００６９】
図７は、辞書記憶部１４に記憶されている辞書データを示すデータ構造図である。また、図８は、抽出部１３の抽出態様を示す模式図である。
【００７０】
抽出部１３は、単語を抽出する際、抽出する単語を特定するために辞書データを参照する。辞書データは、辞書記憶部１４に記憶されている。図７に示すように、辞書データには、部位単語ｗｂに属する単語と、事象単語ｗｊに属する単語と、有無単語ｗｕに属する単語とが多数記録されている。
【００７１】
抽出部１３は、図８に示すように、読影レポートの所見欄ＣｓからＮ番目（Ｎ＝１，２，３・・・）のセンテンスを読み出し、読み出したセンテンスのデータの始端から終端へ順次マッチング位置ずらしていくようにして、辞書データに記憶されている各単語をマッチングしていく。マッチングした単語がセンテンスに含まれていると、その単語を、走査しているセンテンスに対する記述単位データｗｓに含めるように記録する。辞書データに記録されているそれぞれの単語をマッチングすることで、１センテンスから部位単語ｗｂと事象単語ｗｊと有無単語ｗｕがマッチングし、それらが１セットになって記述単位データｗｓに記録される。
【００７２】
抽出部１３は、読影レポートの所見欄Ｃｓに記述されている１番目のセンテンスから最終センテンスまでこの抽出処理を繰り返し、各センテンスに対応して各記述単位データｗｓを作成する。
【００７３】
次に、抽出部１３は、確診病名欄Ｃｋから確診病名単語ｗｄを抽出する（Ｓ０４）。確診病名欄Ｃｋに複数の確診病名単語ｗｄが存在する場合には、全ての確診病名単語ｗｄを抽出する。
【００７４】
図９は、抽出処理によって構造化された読影レポート情報を示す模式図である。図９に示すように、この抽出部１３の処理によって、読影レポートは、所見欄Ｃｓに記述された各センテンスの記述単位データｗｓと確診病名単語ｗｄに構造化される。
【００７５】
次に、一つの読影レポートが抽出部１３によって構造化されると、組み合わせ生成部１５は、各記述単位データｗｓの何れかと各確診病名単語ｗｄの何れかを一対に組み合わせた各組み合わせデータＫｄを作成する（Ｓ０５）。
【００７６】
図１０は、この組み合わせ処理の一例を示す模式図である。抽出部１３の処理によって、一の読影レポートがＡ，Ｂ，Ｃ，Ｄという記述単位データｗｓとＸ及びＹという確診病名単語ｗｄに構造化されると、組み合わせ生成部１５は、Ａという記述単位データｗｓとＸという確診病名単語ｗｄとの組み合わせ、Ａという記述単位データｗｓとＹという確診病名単語ｗｄとの組み合わせ、Ｂという記述単位データｗｓとＸという確診病名単語ｗｄとの組み合わせ、Ｂという記述単位データｗｓとＹという確診病名単語ｗｄとの組み合わせ、というように、所見欄Ｃｓの１センテンス毎の単語セットであるＡ，Ｂ，Ｃ，及びＤという記述単位データｗｓと、確診病名欄Ｃｋの単語であるＸ及びＹという確診病名単語ｗｄとを全ての組み合わせで一対にして、それぞれの組み合わせデータＫｄを生成する。
【００７７】
そして、組み合わせデータＫｄを作成すると、組み合わせ生成部１５は、構造化した読影レポートを識別するレポートＩＤを各組み合わせデータＫｄに関連付けて（Ｓ０６）、索引記憶部１６に記憶させる（Ｓ０７）。そして、索引記憶部１６に記憶されている読影レポート全てについて構造化が終了していなければ（Ｓ０８，Ｎｏ）、次の読影レポートについてＳ０１〜Ｓ０７を繰り返す。
【００７８】
レポート検索装置１は、これら抽出部１３と辞書記憶部１４と組み合わせ生成部１５によって作成された各読影レポートの各組み合わせデータＫｄを用いて、読影レポートの検索を行い、検索結果リストやレポートリストを生成して読影端末２に送信し、さらに読影レポートを読影端末２に送信する。このレポート検索装置１による検索処理は、検索部１７と計数部１９とリスト生成部１８により行われる。この検索部１７は、主にＣＰＵから構成されている。この計数部１９は、主にＣＰＵから構成されている。このリスト生成部１８は、主にＣＰＵから構成されている。
【００７９】
検索部１７は、読影端末２から検索キーとして受信した単語を用いて、この単語を記述単位として含む組み合わせデータＫｄを、索引記憶部１６から検索する。
【００８０】
計数部１９は、検索された組み合わせデータＫｄを母数として、組み合わせデータＫｄに含まれる確診病名単語ｗｄ毎に、同一の確診病名単語ｗｄを含む組み合わせデータＫｄの数をカウントする。即ち、同一の部位単語ｗｂと事象単語ｗｊと有無単語ｗｕとから構成されるセンテンスが所見欄Ｃｓに記述され、同一の確診病名単語ｗｄが確診病名欄Ｃｋに記述された読影レポートの数をカウントする。
【００８１】
リスト生成部１８は、検索された組み合わせデータＫｄに含まれる確診病名単語ｗｄのリストを検索結果リストとして生成する。この確診病名単語ｗｄのリストの作成の際、リスト生成部１８は、計数部１９がカウントして得た同一の確診病名単語ｗｄを含む組み合わせデータＫｄの数、即ち同一センテンス及び同一確診病名を含む読影レポートの件数を、確診病名単語ｗｄ毎に関連付けて記録する。
【００８２】
また、リスト生成部１８は、確診病名単語ｗｄのリストから選択された確診病名単語ｗｄと、検索キーとして送信された記述単位の単語セットとを含む読影レポートのリストを生成する。
【００８３】
図１１は、この検索部１７と計数部１９とリスト生成部１８により行われる検索処理の一例を示すフローチャートである。
【００８４】
まず、読影端末２から検索キーが入力されると（Ｓ１１）、検索部１７は、検索キーとなる記述単位を組み合わせに含む組み合わせデータＫｄを索引記憶部１６から検索する（Ｓ１２）。
【００８５】
検索キーは、部位単語ｗｂと事象単語ｗｊと有無単語ｗｕを含む単語セットで構成されている。検索部１７は、この単語セットで構成される記述単位データｗｓを含む組み合わせデータＫｄを索引記憶部１６から検索する。
【００８６】
図１２は、この検索の具体例を示す模式図である。例えば、部位単語ｗｂとして左肺野、事象単語ｗｊとして胸水、有無単語ｗｕとして「有り」を含む検索キーを受信すると、この左肺野、胸水、及び「有り」の単語セットで構成された記述単位データｗｓと「肺炎」を含む複数個の組み合わせデータＫｄＡと、左肺野、胸水、及び「有り」の単語セットで構成された記述単位データｗｓと「肺ガン」を含む複数個の組み合わせデータＫｄＢが特定される。検索部１７は、この特定された組み合わせデータＫｄＡのそれぞれ、組み合わせデータＫｄＢのそれぞれにフラグを立てておく。
【００８７】
検索部１７が組み合わせデータＫｄを検索すると、計数部１９は、検索された組み合わせデータＫｄを母数として、同一の確診病名単語ｗｄを含む組み合わせデータＫｄの数を確診病名単語ｗｄ毎にカウントする（Ｓ１３）。
【００８８】
計数部１９は、まず、フラグが立てられた組み合わせデータＫｄに含まれる全ての確診病名単語ｗｄを抽出する。例えば、組み合わせデータＫｄＡに含まれる「肺炎」と、組み合わせデータＫｄＢに含まれる「肺ガン」を抽出する。そして、フラグが立てられた組み合わせデータから、「肺炎」を示す確診病名単語ｗｄを含む組み合わせデータＫｄＡの数をカウントし、また「肺ガン」を示す確診病名単語ｗｄを含む組み合わせデータＫｄＢの数をカウントする。
【００８９】
図１３は、検索結果のリストを示す模式図である。検索部１７による検索と計数部１９によるカウントが終了すると、リスト生成部１８は、図１３に示すように、検索部１７が特定した組み合わせデータＫｄに含まれる各確診病名単語ｗｄにカウントした数をレポート件数として関連付けたリストを生成する（Ｓ１４）。そして、リスト生成部１８は、生成したリストを入出力部１１とネットワークＮを介して読影端末２に送信する（Ｓ１５）。
【００９０】
送信されたリストは、読影端末が有するモニタ２２の検索画面内の検索結果リストフィールドＳＬｆに表示される。操作者が操作部２３を用いて、このリストから一の確診病名単語ｗｄを選択すると、読影端末２からレポート検索装置１へ、選択した確診病名単語ｗｄをさらに含む読影レポートのリストを要求するコマンドが送信される。
【００９１】
選択した確診病名単語ｗｄをさらに含む読影レポートのリストを要求するコマンドを受信すると（Ｓ１６）、リスト生成部１８は、検索された組み合わせデータＫｄのうち、選択された確診病名単語ｗｄを含む組み合わせデータＫｄに関連付けられているレポートＩＤを検索キーとして、レポートデータベース１２ａを検索し、該当する読影レポートのレコードを取得する（Ｓ１７）。そして、この読影レポートのレコードを並べたリストを生成し、読影端末２へ入出力部１１とネットワークＮを介して読影端末２に送信する（Ｓ１８）。
【００９２】
例えば、組み合わせデータＫｄＡに含まれる「肺炎」が読影端末２で選択されると、レポート検索装置１は、「左肺野」、「胸水」、及び「有り」を所見欄Ｃｓに含み、かつ「肺炎」を確診病名欄Ｃｋに含む読影レポートのリストを、組み合わせデータＫｄＡと関連付けられたレポートＩＤに基づいて生成する。
【００９３】
送信されたリストは、読影端末が有するモニタ２２の検索画面内の検索結果リストフィールドＳＬｆに表示される。操作者が操作部２３を用いて、このリストから一の読影レポートを選択すると、読影端末２からレポート検索装置１へ、選択した読影レポートのリストを要求するコマンドが送信される。
【００９４】
選択した読影レポートのリストを要求するコマンドを受信すると（Ｓ１９）、レポート送受信制御部１２は、コマンドに含まれるレポートＩＤを用いてレポートデータベース１２ａを検索し（Ｓ２０）、該当するレコードに記録されているパスが示す保管部１０の保管エリアから読影レポートを読み出して（Ｓ２１）、読影端末２へ入出力部１１とネットワークＮを介して読影端末２に送信する（Ｓ２２）。
【００９５】
読影端末２では、過去レポート表示制御部２６によりモニタ２２へ受信した読影レポートが表示される。
【００９６】
このように、本実施形態に係るレポート検索装置１では、読影レポートに含まれる記述単位の単語セット等の所見欄Ｃｓの単語と確診病名欄Ｃｋの単語とを組み合わせた組み合わせデータＫｄを索引として予め生成しておき、記述単位の単語セットが検索キーとして入力されると、まずこの単語セットと組み合わせられた確診病名欄Ｃｋの単語のリストを生成する。
【００９７】
従って、操作者は、自らが入力した所見欄Ｃｓの単語と関連性の深い確診病名欄Ｃｋの単語を知ることができ、その確診病名欄Ｃｋの単語から更に所望する読影レポートを絞り込むことができる。また、その確診病名欄Ｃｋの単語のリストには、入力した記述単位の単語セットと確診病名欄Ｃｋの単語が含まれる読影レポートの件数が表示されるため、この件数が、自らが入力した所見欄Ｃｓの単語と確診病名欄Ｃｋの単語との関連性の度合いとなって、閲覧価値の高い読影レポートの絞り込みに役立つ結果となる。
【００９８】
次に、この所見欄Ｃｓの単語と確診病名欄Ｃｋの単語とを組み合わせた組み合わせデータＫｄを索引として用いた他の検索例を説明する。この検索例は、確診病名欄Ｃｋの単語を検索キーとして入力するものである。読影端末２の検索インターフェース部２５は、検索フィールドＳｆに図示しない確診病名単語ｗｄの入力フィールドを表示させる。
【００９９】
図１４は、この確診病名単語ｗｄが検索キーとして入力された場合の検索例を示す模式図である。例えば、確診病名単語ｗｄとして「肺炎」を含む検索キーを受信すると、検索部１７は、この「肺炎」を含むデータＫｄＡ、ＫｄＣを特定する。検索部１７が組み合わせデータＫｄＡ，ＫｄＣを特定すると、計数部１９は、組み合わせデータＫｄＡの数と、組み合わせデータＫｄＣの数を計測する。そして、この検索及びカウントの結果となるリストを生成し、読影端末２に送信する。
【０１００】
操作者が操作部２３を用いて、このリストから一の記述単位、例えば記述単位Ａを選択すると、読影端末２からレポート検索装置１へ、選択したＡという記述単位データｗｓをさらに含む読影レポートのリストを要求するコマンドが送信される。リスト生成部１８は、フラグが立てられ、かつ選択されたＡという記述単位データｗｓを含む組み合わせデータＫｄに関連付けられているレポートＩＤを読み出して、読み出したレポートＩＤを検索キーとして、レポートデータベース１２ａを検索し、該当する読影レポートのレコードを取得する。そして、この読影レポートのレコードを並べたリストを生成し、読影端末２へ入出力部１１とネットワークＮを介して読影端末２に送信する。
【０１０１】
このように、本実施形態に係るレポート検索装置１では、読影レポートに含まれる記述単位の単語セット等の所見欄Ｃｓの単語と確診病名欄Ｃｋの単語とを組み合わせた組み合わせデータＫｄを索引として予め生成しておくことで、確診病名が検索キーとして入力されても、この確診病名と組み合わせられた所見欄の単語のリストを生成することができる。従って、操作者は、自らが入力した確診病名と関連性の深い所見も知ることができ、その所見を表す単語から更に所望する読影レポートを絞り込むこともできる。
【０１０２】
次に、この所見欄Ｃｓの単語と確診病名欄Ｃｋの単語とを組み合わせた組み合わせデータＫｄとレポートＩＤとを関連付けた索引を用いた他の検索例を説明する。この検索例は、所見欄Ｃｓの複数の記述単位をＡＮＤ検索するものである。読影端末２の検索インターフェース部２５は、検索フィールドＳｆに部位入力エリアＥｂと事象入力エリアＥｊと有無選択プルダウンメニュＭｕを複数単位を表示させる。
【０１０３】
図１５は、複数の記述単位が検索キーとして入力された場合の検索例を示す模式図である。
【０１０４】
Ａという記述単位とＢという記述単位が検索キーとして入力された場合、検索部１７は、Ａという記述単位とＢという記述単位が所見欄Ｃｓに記述された読影レポートを、組み合わせデータＫｄとレポートＩＤを用いて検索し、リスト生成部１８は、検索された読影レポートの確診病名欄Ｃｋに記述されている確診病名単語のリストを検索部１７が付したフラグを用いて生成し、計数部１９は、組み合わせデータＫｄとレポートＩＤを用いて検索された読影レポートの件数を確診病名単語ｗｄ別にカウントする。
【０１０５】
これにより、Ａという記述単位とＢという記述単位を所見欄Ｃｓに含む読影レポートの所見欄に記述されている確診病名単語ｗｄのリストが生成され、確診病名単語ｗｄを選択することにより、組み合わせデータＫｄを用いて、Ａという記述単位とＢという記述単位を所見欄Ｃｓに含み、かつ選択された確診病名単語ｗｄを確診病名欄Ｃｋに含む読影レポートのリストの提示が可能となる。
【０１０６】
図１６は、この複数の記述単位が検索キーとして入力された場合の検索の処理を示すフローチャートである。
【０１０７】
まず、読影端末２から複数の記述単位の単語セットでＡＮＤ検索を行うコマンドが入力されると（Ｓ３１）、検索部１７は、入力された各記述単位データｗｓの何れかを組み合わせに含む組み合わせデータＫｄを索引記憶部１６から検索する（Ｓ３２）。
【０１０８】
検索部１７は、検索された組み合わせデータＫｄを母体に、記述単位データｗｓは異なるが同一の確診病名単語ｗｄが含まれている組み合わせデータＫｄ間に共通に関連付けられたレポートＩＤを探索する（Ｓ３３）。共通に関連付けられたレポートＩＤが特定されると、検索部１７は、探索の結果、該当するレポートＩＤが関連付けられている組み合わせデータＫｄにフラグを付すことで検索結果として特定する（Ｓ３４）。
【０１０９】
計数部１９は、フラグが付された組み合わせデータＫｄを母数として、同一の確診病名単語ｗｄを含む組み合わせデータＫｄの数を確診病名単語ｗｄ毎にカウントする（Ｓ３５）。
【０１１０】
検索部１７による検索と計数部１９によるカウントが終了すると、リスト生成部１８は、検索部１７がフラグを付した組み合わせデータＫｄに含まれる各確診病名単語ｗｄにカウントした数を関連付けたリストを生成する（Ｓ３６）。そして、リスト生成部１８は、生成したリストを入出力部１１とネットワークＮを介して読影端末２に送信する（Ｓ３７）。
【０１１１】
選択した確診病名単語ｗｄをさらに含む読影レポートのリストを要求するコマンドを受信すると（Ｓ３８）、リスト生成部１８は、フラグが立てられ、かつ選択された確診病名単語ｗｄを含む組み合わせデータＫｄに関連付けられているレポートＩＤを検索キーとして、レポートデータベース１２ａを検索し、該当する読影レポートのレコードを取得する（Ｓ３９）。そして、この読影レポートのレコードを並べたリストを生成し、読影端末２へ入出力部１１とネットワークＮを介して読影端末２に送信する（Ｓ４０）。
【０１１２】
選択した読影レポートを要求するコマンドを受信すると（Ｓ４１）、レポート送受信制御部１２は、コマンドに含まれるレポートＩＤを用いてレポートデータベース１２ａを検索し（Ｓ４２）、該当するレコードに記録されているパスが示す保管部１０の保管エリアから読影レポートを読み出して（Ｓ４３）、読影端末２へ入出力部１１とネットワークＮを介して読影端末２に送信する（Ｓ４４）。
【０１１３】
読影端末２では、過去レポート表示制御部２６によりモニタ２２へ受信した読影レポートが表示される。
【０１１４】
このように、本実施形態に係るレポート検索装置１では、読影レポートに含まれる記述単位の単語セット等の所見欄Ｃｓの単語と確診病名欄Ｃｋの単語とを組み合わせた組み合わせデータＫｄにレポートＩＤを関連付けたデータを索引として予め生成しておくことで、操作者は、自らが入力した所見欄Ｃｓの記述単位の全てと関連性の深い確診病名欄Ｃｋの単語を知ることができ、その確診病名欄Ｃｋの単語から更に所望する読影レポートを絞り込むことができる。また、その確診病名欄Ｃｋの単語のリストには、入力した全ての記述単位と確診病名欄Ｃｋの単語が含まれる読影レポートの件数が表示されるため、この件数が、自らが入力した所見欄Ｃｓの単語と確診病名欄Ｃｋの単語との関連性の度合いとなって、閲覧価値の高い読影レポートの絞り込みに役立つ結果となる。
【０１１５】
次に、読影レポートの所見欄Ｃｓに複数のセンテンスが含まれている場合の他の組み合わせデータＫｄの例と、その組み合わせデータＫｄによる他の検索例を説明する。
【０１１６】
図１７は、索引記憶部１６に記憶される他の索引例を示すデータ構成図である。
【０１１７】
索引記憶部１６には、同一の読影レポートの所見欄Ｃｓに記述された記述単位データｗｓの組み合わせデータＫｄが記憶されている。例えば、読影レポートＡの所見欄ＣｓにセンテンスＡ，Ｂ，Ｃ，及びＤが記述されている場合、この読影レポートＡからは、センテンスＡ，Ｂ，Ｃ，Ｄをそれぞれ構造化したＡ，Ｂ，Ｃ，Ｄという各記述単位データｗｓが作成され、これら記述単位データｗｓのうち２つを一対に組み合わせた各組み合わせデータＫｄが計６種類生成されて索引記憶部１６に記憶される。
【０１１８】
図１８は、所見欄の単語同士の組み合わせデータＫｄを索引として作成する抽出部１３と辞書記憶部１４と組み合わせ生成部１５の処理の一例を示すフローチャートである。
【０１１９】
まず、抽出部１３は、保管部１０から一報の読影レポートを読み出す（Ｓ５１）。抽出部１３は、辞書データを参照して、読み出した読影レポートの所見欄Ｃｓから１センテンス毎に部位単語ｗｂと事象単語ｗｊと有無単語ｗｕを抽出し（Ｓ５２）、１センテンスから抽出された単語群を１セットとした記述単位データｗｓを１センテンス毎に生成する（Ｓ５３）。
【０１２０】
次に、組み合わせ生成部１５は、各記述単位データｗｓの何れかを他の何れかと組み合わせた各組み合わせデータＫｄを作成する（Ｓ５４）。
【０１２１】
そして、組み合わせデータＫｄを作成すると、組み合わせ生成部１５は、構造化した読影レポートを識別するレポートＩＤを各組み合わせデータＫｄに関連付けて（Ｓ５５）、索引記憶部１６に記憶させる（Ｓ５６）。そして、索引記憶部１６に記憶されている読影レポート全てについて構造化が終了していなければ（Ｓ５７，Ｎｏ）、次の読影レポートについてＳ５１〜Ｓ５６を繰り返す。
【０１２２】
図１９は、この組み合わせデータＫｄを索引として記憶している場合の検索例を示す模式図である。例えば、操作部２３を用いてＡという記述単位データｗｓが入力されると、検索部１７は、この記述単位データｗｓを含む組み合わせデータＫｄＡ、ＫｄＣを特定する。検索部１７が組み合わせデータＫｄＡ，ＫｄＣを特定すると、計数部１９は、組み合わせデータＫｄＡの数と、組み合わせデータＫｄＣの数を計測する。そして、リスト生成部１８は、この組み合わせデータＫｄＡ、Ｋｄｃに含まれている他方のＢという記述単位データｗｓとＣという記述単位データｗｓを並べたリストを生成し、読影端末２に送信する。
【０１２３】
このように、本実施形態に係るレポート検索装置１では、読影レポートに含まれる複数の記述単位のうちの２つのデータを組み合わせた各組み合わせデータＫｄを索引として予め生成しておく。従って、操作者は、自らが入力した所見と関連性の深い所見を知ることができるとともに、更に所望する読影レポートを絞り込むこともできる。
【０１２４】
尚、各実施形態において、辞書データには、ある意味を代表する代表単語とその代表単語と同一の意味を有する単語とが関連付けられているようにしてもよい。そして、抽出部１３は、センテンスを走査して単語のマッチングを行うと、マッチングした単語の抽出に代えて、マッチングした単語の代表単語を抽出する。また、検索部１７は、検索キーに含まれる単語を辞書記憶部１４に記憶されている辞書データを参照して、代表単語に変換する。これにより、検索部１７は、検索のために操作部２３を用いて入力した単語と完全一致していなくとも、同じ意味を有する単語を含む組み合わせデータを特定することができ、検索語の選択ミスによる検索結果の変動を少なくすることができる。また、計数部１９によるカウント結果が単語の違いに左右されづらくなる。
【０１２５】
また、各実施形態では、記述単位データｗｓを構成する各単語を検索キーとして入力するようにしたが、所見を表すセンテンスを検索キーとして入力するようにしてもよい。この場合、検索部１７は、辞書記憶部１４に記憶された辞書データを参照して、入力されたセンテンスを単語に分解して、部位単語ｗｂと事象単語ｗｊと有無単語ｗｕを抽出する。そして、この抽出した部位単語ｗｂと事象単語ｗｊと有無単語ｗｕを記述単位データｗｓとして用いて組み合わせデータＫｄの検索を行う。
【０１２６】
また、計数部１９によるカウントは、検索段階で行わずに、予めカウント期間を設定しておき、そのカウント期間中に行うようにしてもよい。
【０１２７】
以上のように、各実施形態のレポート検索装置１及びレポート検索方法によれば、操作者は、自らが入力した単語と関連性の深い単語を知ることができ、その単語から更に所望する読影レポートを絞り込むことができる。従って、読影レポートの中身を確認して、所望する読影レポートを探索する手間が省けると共に、検索の精度が向上する。また、自らが入力した単語と関連性の深い単語が提示されることによって、読影の判断についての他の可能性も抜けなく容易に検討することが可能となる。さらに、所見内容に対する典型的な確診病名や確診病名に対する典型的な所見内容の関連が確認できるため、教育現場においても利用が可能となる。
【図面の簡単な説明】
【０１２８】
【図１】レポート検索装置を含むネットワークを示す図である。
【図２】レポート検索装置及び読影端末の内部構成を示すブロック図である。
【図３】読影レポートの模式図である。
【図４】索画面を示す模式図である。
【図５】索引記憶部に記憶される索引を示すデータ構成図である。
【図６】索引を作成する処理の一例を示すフローチャートである。
【図７】辞書データを示すデータ構造図である。
【図８】抽出態様を示す模式図である。
【図９】抽出処理によって構造化された読影レポート情報を示す模式図である。
【図１０】組み合わせ処理の一例を示す模式図である。
【図１１】検索処理の一例を示すフローチャートである。
【図１２】検索の具体例を示す模式図である。
【図１３】検索結果のリストを示す模式図である。
【図１４】確診病名単語が検索キーとして入力された場合の検索例を示す模式図である。
【図１５】複数の記述単位が検索キーとして入力された場合の検索例を示す模式図である。
【図１６】複数の記述単位が検索キーとして入力された場合の検索の処理を示すフローチャートである。
【図１７】索引記憶部に記憶される他の索引例を示すデータ構成図である。
【図１８】所見欄の単語同士の組み合わせデータを索引として作成する処理の一例を示すフローチャートである。
【図１９】所見欄の単語同士の組み合わせデータを索引として記憶している場合の検索例を示す模式図である。
【符号の説明】
【０１２９】
１      レポート検索装置
１０    保管部
１１    入出力部
１２    レポート送受信制御部
１２ａ  レポートデータベース
１３    抽出部
１４    辞書記憶部
１５    組み合わせ生成部
１６    索引記憶部
１７    検索部
１８    リスト生成部
１９    計数部
２      読影端末
２１    モニタ
２２    モニタ
２３    操作部
２４    作成レポート記憶部
２５    検索インターフェース部
２６    過去レポート表示制御部
Ｎ      ネットワーク
【図２】
0005091639.tif 000002
【図３】
0005091639.tif 000003
【図４】
0005091639.tif 000004
【図５】
0005091639.tif 000005
【図６】
0005091639.tif 000006
【図７】
0005091639.tif 000007
【図８】
0005091639.tif 000008
【図１０】
0005091639.tif 000009
【図１１】
0005091639.tif 000010
【図１２】
0005091639.tif 000011
【図１３】
0005091639.tif 000012
【図１４】
0005091639.tif 000013
【図１５】
0005091639.tif 000014
【図１６】
0005091639.tif 000015
【図１７】
0005091639.tif 000016
【図１８】
0005091639.tif 000017
【図１９】
0005091639.tif 000018
【図１】
0005091639.tif 000019
【図９】
0005091639.tif 000020